(57)【要約】      （修正有）【課題】対象魚がより食いつき易く、且つ、釣り人が所望する水深まで短時間で潜水可能なルアーを提供する。【解決手段】ルアー１は、ルアー本体２と、水流抵抗板３と、を有する。水流抵抗板３は、ルアー本体２から前方に延出された架橋部３１と、架橋部３１から前方に延出された舌状部３２と、を有する。架橋部３１は、その側面に架橋部３１の上方から下方にかけて幅方向外側に傾斜した傾斜部を有する。舌状部３２は、その上面に平坦部３２ａを有する。【選択図】図１
0003185165.tif 000002
【実用新案登録請求の範囲】
【請求項１】
ルアー本体と、水流抵抗板と、を有し、
前記水流抵抗板が、前記ルアー本体から前方に延出された架橋部と、前記架橋部から前方に延出された舌状部と、を有し、
前記架橋部は、その側面に前記架橋部の上方から下方にかけて幅方向外側に傾斜した傾斜部を有し、
前記舌状部は、その上面に平坦部を有することを特徴とするルアー。
【請求項２】
前記架橋部の縦断面形状が、前記架橋部の幅方向中央を縦断する仮想線を基準に、線対称な形状である請求項１に記載のルアー。
【請求項３】
前記架橋部の縦断面形状が、略楕円形状である請求項１又は２に記載のルアー。
【請求項４】
前記架橋部が、前記ルアー本体から前方斜め上がりに延出されており、前記舌状部が、前記架橋部から前方斜め下がりに延出されている請求項１〜３の何れかに記載のルアー。
【請求項５】
前記架橋部の最大幅（Ｗ１）が前記舌状部の最大幅（Ｗ２）の４／５以下であり、且つ、前記架橋部の最大幅（Ｗ１）が前記ルアー本体の最大幅（Ｗ３）の８／９以下である請求項１〜４の何れかに記載のルアー。
【請求項６】
前記傾斜部に、前記架橋部の後方から前方に延びる、凹部及び凸部のうち少なくとも何れか一方が設けられている請求項１〜５の何れかに記載のルアー。
【請求項７】
前記架橋部が、前記ルアー本体の前端部から延出されている請求項１〜６の何れかに記載のルアー。
【考案の詳細な説明】
【技術分野】
【０００１】
本考案は、魚釣り用のルアーに関する。
【背景技術】
【０００２】
従来、水流抵抗板を有する魚釣り用のルアーが知られている（特許文献１）。水流抵抗板は、ルアー本体から延出された舌状の部材であり、この水流抵抗板に水流が当たることによりルアーを潜水させたり左右に揺動させることができ、これによって釣りの対象となる魚（対象魚）の餌である小魚等の動きに似せることができる。
ところで、近年、釣り人口の増加に伴い、対象魚がルアーと本物の餌を識別できるようになった結果、対象魚の釣果が悪くなってきている。そのため、より本物の餌のように動かすことのできるルアーが求められている。しかし、従来のルアーを用いた場合、水中において本物の餌のような細やか且つ不規則な動きを再現することは困難である。
さらに、従来の水流抵抗板を有するルアーを用いた場合、釣り人が所望する水深までルアーを潜水させることができない場合や、所望する水深までルアーを潜水させるのに非常に時間がかかる場合がある。所望の水深までルアーを迅速に潜水させることができないと、釣果が悪くなる。
【先行技術文献】
【特許文献】
【０００３】
【特許文献１】特開２００２−６５１１４号公報
【考案の概要】
【考案が解決しようとする課題】
【０００４】
本考案の第１の課題は、本物の餌のように動かすことのできるルアーを提供することであり、本考案の第２の課題は、釣り人が所望する水深まで短時間で潜水可能なルアーを提供することである。
【課題を解決するための手段】
【０００５】
本考案者が鋭意研究を行った結果、従来のルアーを用いて本物の餌の動きを再現し難いこと、及び所望の水深までルアーを潜水させ難いことは、従来のルアーが有する水流抵抗板の構造が一因であることを見出した。
即ち、従来の水流抵抗板を有するルアーにおいては、水流抵抗板に当たった水流がルアー本体の下方に誘導されず（受け流されず）、その大部分がルアー本体と衝突する。
水流がルアー本体に衝突すると、釣り竿の引きが重くなり、釣り人がルアーを任意の方向に動かし難くなる。その結果、釣り人は、ルアーを本物の餌のように動かすことが困難となる。また、ルアー本体に衝突した水流の抵抗により、ルアーを深く潜水させることが困難となる。
本考案者は、上記知見に基づき、水流抵抗板に当たった水流をルアー本体の下方に受け流すことにより、本物の餌の動き（不規則な動き）に再現でき、且つ、短時間で深く潜水させることが可能なルアーが得られることを見出した。
【０００６】
本考案のルアーは、ルアー本体と、水流抵抗板と、を有し、前記水流抵抗板が、前記ルアー本体から前方に延出された架橋部と、前記架橋部から前方に延出された舌状部と、を有し、前記架橋部は、その側面に前記架橋部の上方から下方にかけて幅方向外側に傾斜した傾斜部を有し、前記舌状部は、その上面に平坦部を有する。
【０００７】
本考案の好ましいルアーは、前記架橋部の縦断面形状が、前記架橋部の幅方向中央を縦断する仮想線を基準に、線対称な形状である。また、より好ましくは、前記架橋部の縦断面形状が、略楕円形状である。
【０００８】
本考案の好ましいルアーは、前記架橋部が、前記ルアー本体から前方斜め上がりに延出されており、前記舌状部が、前記架橋部から前方斜め下がりに延出されている。
【０００９】
本考案の好ましいルアーは、前記架橋部の最大幅（Ｗ１）が前記舌状部の最大幅（Ｗ２）の４／５以下であり、且つ、前記架橋部の最大幅（Ｗ１）が前記ルアー本体の最大幅（Ｗ３）の８／９以下である。
【００１０】
本考案の好ましいルアーは、前記傾斜部に、前記架橋部の後方から前方に延びる、凹部及び凸部のうち少なくとも何れか一方が設けられている。
【００１１】
本考案の好ましいルアーは、前記架橋部が、前記ルアー本体の前端部から延出されている。
【考案の効果】
【００１２】
本考案のルアーは、水流抵抗板が、ルアー本体から前方に延出された架橋部と、架橋部から前方に延出された舌状部と、を有する。さらに、本考案のルアーは、架橋部が、その側面に傾斜部を有し、舌状部が、その上面に平坦部を有し、前記傾斜部は、架橋部の上方から下方にかけて幅方向外側に傾斜した部分である。
架橋部が傾斜部を有するため、舌状部に当たった水流は、ルアー本体の下方に受け流され、その結果、水流がルアー本体に衝突し難くなる。従って、釣り人は、ルアーにより細やかな動きを伝えることができ、本物の餌の動きを忠実に再現することができる。また、水流がルアー本体に衝突し難くなるため、ルアーをより短時間で所望の水深まで潜水させることができる。
【図面の簡単な説明】
【００１３】
【図１】本考案の第１の実施形態に係るルアーを示す側面図。
【図２】図２の水流抵抗板をＩＩ−ＩＩ線で切断した断面図。
【図３】同ルアーを示す平面図。
【図４】同ルアーを示す下面図。
【図５】同ルアーの要部拡大側面図。
【図６】（ａ）は本考案の第２の実施形態に係るルアーの要部拡大側面図であり、（ｂ）は同（ａ）のルアーの水流抵抗板をＶＩｂ−ＶＩｂ線で切断した断面図。
【図７】（ａ）は本考案の第３の実施形態に係るルアーの要部拡大側面図であり、（ｂ）は同（ａ）のルアーの水流抵抗板をＶＩＩｂ−ＶＩＩｂ線で切断した断面図。
【図８】本考案の第４の実施形態に係る水流抵抗板の断面図。
【考案を実施するための形態】
【００１４】
本考案のルアーは、ルアー本体と、水流抵抗板と、を有し、前記水流抵抗板が、前記ルアー本体から前方に延出された架橋部と、前記架橋部から前方に延出された舌状部と、を有する。以下、本考案の実施形態を図面を参照しつつ説明する。
【００１５】
［第１の実施形態］
図１は、本考案の第１の実施形態に係るルアーを示す側面図であり、図２は、同ルアーの水流抵抗板を示す断面図であり、図３は、同ルアーの平面図であり、図４は、同ルアーの下面図であり、図５は、同ルアーの要部拡大側面図である。
図１〜図５に示される本考案のルアー１は、ルアー本体２と、ルアー本体２から延出された水流抵抗板３と、を有する。水流抵抗板３は、ルアー本体２から前方に延出された架橋部３１と、架橋部３１から前方に延出された舌状部３２と、を有する。
【００１６】
なお、本明細書において、「前方」とは、本考案のルアーから水流抵抗板を取り除いたと仮定して、その水流抵抗板を有さないルアーに取り付けられたミチ糸を水中で引いた際におけるルアーの進行方向側を意味し、「後方」とは、前方と反対側を意味し、「上方」とは、水中で進行中の前記ルアーを基準にしてその水面側を意味し、「下方」とは、水中で進行中の前記ルアーを基準にして水底側を意味する。図１のルアー側面図を基準にすると、図１の左側が「前方」であり、図１の右側が「後方」であり、図１の上側（ルアー１の背側）が「上方」であり、図１の下側（ルアー１の腹側）が「下方」である。
図１〜図５において、ルアー１の進行方向を矢印Ａで表し、ルアー１の進行方向に対して上下に直交する方向（上下方向）を矢印Ｂで表し、ルアー１の進行方向及び上下方向に対して直交する方向（幅方向）を矢印Ｃで表す。
また、本明細書において、ある部材又は部分の「前（後）端」とは、ある部材又は部分の最も前方（後方）にある部分を指し、ある部材又は部分の「前（後）端部」とは、前記前（後）端及びその近傍を含んだ部分を指す。
【００１７】
＜ルアー本体＞
ルアー本体２は、本考案のルアー１の中核となる部材である。ルアー１を構成するルアー本体２以外の各部材は、全てルアー本体２に直接又は間接的に連結される。ルアー本体２の形状は特に限定されず、好ましくは、本物の餌（小魚等）の形状を模した形状に形成される。また、ルアー本体２には、対象魚の興味を引くような彩色が施されていてもよい。図１に示すように、ルアー本体２は、小魚を模した形状に形成されており、小魚の器官（エラや鱗等）を再現した彩色が施されている。
【００１８】
ルアー本体２は、好ましくは、図３及び図４に示すように、その前端部から略中央部に至るまで徐々に幅が大きくなり、且つ、その略中央部から後端部にかけて徐々に幅が小さくなるように形成される。ルアー本体２の形状をこのように形成することにより、小魚の体躯をよりリアルに再現できる。さらに、ルアー本体２の前端部の幅は、その略中央部の幅よりも小さいため、ルアー本体２に衝突する水流の量を効果的に減少させることができる。
なお、本明細書において、ある部材又は部分の「幅」とは、幅方向における部材又は部分の長さを意味する。図３及び図４に示すルアー本体２は、その略中央部が最も幅広である。即ち、このルアー本体２の略中央部の幅は、ルアー本体２の最大幅（Ｗ３）に相当する。
【００１９】
ルアー本体２は、中空状に形成されていてもよく、中実状に形成されていてもよい。ルアー本体２を中空状に形成する場合、球状の錘（ラトル）をルアー本体２の内部に転動可能に収容することもできる。この場合、水中でルアー１が揺動すると、ルアー本体２の内部に収容したラトルが転がる。そして、ラトルがルアー本体２の内壁と衝突することによりラトル音が発生し、このラトル音によって対象魚の興味をルアー１に向けさせることが可能である。
【００２０】
図１に示すように、ルアー本体２には、釣り針連結部４が設けられていてもよい。釣り針連結部４は、ルアー本体２に対して釣り針５を係脱可能に取り付けるための部分である。図１において、ルアー本体２は、その略中央下部及び後端部に釣り針連結部４がそれぞれ設けられており、各釣り針連結部４には、釣り針５が取り付けられている。
釣り針連結部４は、例えば、Ｕ字状の針金を用いて形成されている。具体的には、Ｕ字状の針金の一端部と他端部がルアー本体２に埋め込まれており、その両端部を除く中途部がルアー本体２の表面から突出されることにより釣り針連結部４が形成される。
なお、本考案において、釣り針連結部４が設けられる部分は特に限定されず、ルアー本体２の略中央下部及び後端部以外の部分に設けることもできる。また、釣り針連結部４の数も特に限定されず、適宜変更することができる。
【００２１】
ルアー本体２の形成材料は特に限定されず、対象魚が食いついても壊れない程度の機械的強度を有する材料が用いられる。このような材料としては、金属、木材、樹脂などが挙げられ、好ましくは樹脂が用いられる。特に、成形が容易であることから、ＡＢＳ樹脂が好ましく用いられる。
適当な形状に成形した上記形成材料に彩色を施し、さらに釣り針連結部４を介して釣り針５を取り付けることにより、ルアー本体２を形成することができる。
【００２２】
＜水流抵抗板＞
図１〜図５に示すように、ルアー本体２には水流抵抗板３が設けられている。水流抵抗板３は、架橋部３１と、舌状部３２と、補強部３３を有する。もっとも、本考案では、水流抵抗板３は、少なくとも架橋部３１と舌状部３２を有していればよく、補強部３３を有していなくてもよい。
以下、水流抵抗板３の各部について詳述する。
【００２３】
架橋部３１は、ルアー本体２から前方に延出された部分であり、水中において舌状部３２に当たった水流をルアー本体２の下方へ誘導する（受け流す）部分である。架橋部３１が延出される部分は特に限定されないが、好ましくはルアー本体２の前端部から延出される。
【００２４】
架橋部３１は、その側面に傾斜部３１ａを有する。即ち、架橋部３１の側面は傾斜面とされている。傾斜部３１ａは、架橋部３１の上方から下方にかけて幅方向外側に傾斜した部分である。換言すると、架橋部の縦断面形状（架橋部３１を上方から下方へかけて切断した断面形状）は、その上方から下方にかけて幅が大きくなる部分を有する。なお、架橋部３１の側面とは、図１に示すように、ルアー１を側面視（幅方向から観察）した際に観察される、架橋部３１の表面である。
本考案では、架橋部３１の側面が傾斜部３１ａを有するため、架橋部３１は、舌状部３２に当たった水流をルアー本体２の下方に受け流すことができる。架橋部３１の傾斜部３１ａは、平面であってもよく、曲面であってもよく、平面と曲面の両方を含んでいてもよい。また、曲面は、面が架橋部３１の外側に膨らんだ凸曲面であってもよく、架橋部３１の内側に膨らんだ凹曲面であってもよい。
傾斜部３１ａは、架橋部３１ａの一方の側面にのみ設けられていてもよく、架橋部３１の両側面に設けられていてもよい。好ましくは、傾斜部３１ａは、架橋部３１の両側面に設けられる。
また、傾斜部３１ａは、架橋部３１の側面に部分的に設けられていてもよく（即ち、架橋部３１の側面は、傾斜部３１ａと非傾斜部を有していてもよく）、架橋部３１の側面全体に設けられていてもよい。なお、前記非傾斜部は、ルアー１の進行方向Ａと平行な平面、ルアー１の上下方向Ｂと平行な平面、又は架橋部３１の上方から下方にかけて幅方向内側に傾斜した曲面若しくは平面を含んでいる。
好ましくは、傾斜部３１ａは、架橋部３１の側面全体に設けられる。傾斜部３１ａが、架橋部３１の側面全体に設けられていれば、水流をより効果的にルアー本体２の下方に受け流すことができる。
【００２５】
図２は、本考案の第１の実施形態に係る架橋部３１及び補強部３３の縦断面形状を示す断面図である。
図２において、間隔の広い斜線を付した部分が架橋部３１の縦断面形状に相当しており、間隔の狭い斜線を付した部分は後に詳述する補強部３３の縦断面形状に相当する。
図２に示すように、本考案の第１の実施形態において、架橋部３１の側面は、その上方から中途部にかけて幅方向外側に膨らんだ凸曲面（傾斜部３１ａ）と、その中途部から下方にかけて幅方向内側に膨らんだ凹曲面３１ｂと、を有する。具体的には、架橋部３１の縦断面形状は、幅方向Ｃにおける架橋部３１の中央を縦断する仮想線Ｚを基準に、線対称となる略楕円形状である。
架橋部３１の縦断面形状が線対称な形状、特に、線対称な略楕円形状であれば、架橋部３１の機械的強度を十分に担保したまま、水流をルアー本体２の下方に受け流すことができる。
【００２６】
架橋部３１は、好ましくはルアー本体２から前方斜め上がりに延出されている。架橋部３１が前方斜め上がりに延出されていれば、より効率的に舌状部３２に当たった水流をルアー本体２の下方に受け流すことができる。
ここで、架橋部３１が「前方斜め上がりに延出されている」とは、図５に示すように、架橋部３１とルアー本体２の境界部分３１１を基準にして、架橋部３１が、この境界部分３１１よりも上方且つ前方に位置する部分３１２を有するように延出していることをいう。なお、図５において、便宜上、架橋部３１とルアー本体２の境界部分を破線で表し、この境界部分３１１よりも上方且つ前方に位置する部分３１２に格子状模様を付している。
【００２７】
舌状部３２は、水中で水流を受け止める部分である。舌状部３２は、その上面に平坦部３２ａを有する。平坦部３２ａは、舌状部３２の上面に部分的に設けられていてもよいが、好ましくは、舌状部３２の上面全体が平坦部３２ａとなるように設けられる。舌状部３２の上面全体が平坦部３２ａであれば、より水流を受け止め易くなる。
【００２８】
舌状部３２は、架橋部３１から前方に延出されており、好ましくは、架橋部３１から前方斜め下がりに延出されている。舌状部３２が前方斜め下がりに延出されていれば、舌状部３２の上面に水流がより当たり易くなる。
なお、舌状部３２が、「前方斜め下がりに延出されている」とは、図５に示すように、舌状部３２と架橋部３１の境界部分３２１を基準にして、舌状部３２が、この境界部分３２１よりも下方且つ前方に位置する部分３２２を有するように延出されていることをいう。なお、図２において、便宜上、舌状部３２と架橋部３１の境界部分３２１を一点鎖線で表し、この境界部分３２１よりも下方且つ前方に位置する部分３２２に格子状模様を付している。
【００２９】
舌状部３２の平面視形状は、水流を効果的に受け止めることができれば特に限定されず、図３に示すように平面視略楕円形状でもよいし、平面視略円形状でもよいし（図示せず）、平面視略矩形状でもよい（図示せず）。舌状部３２を平面視楕円形状に形成した場合、その楕円の短軸方向の幅が舌状部３２の最大幅（Ｗ２）に相当し、舌状部３２を平面視略円形状に形成した場合、その円の直径が舌状部３２の最大幅（Ｗ２）に相当する。
【００３０】
また、図３に示すように、舌状部３２の上面には、ミチ糸連結部６が設けられていてもよい。ミチ糸連結部６は、舌状部３２に対してミチ糸（図示せず）を係脱可能に取り付けるための部分である。図３において、ミチ糸連結部６は、舌状部３２の略中央部に形成された円形の凹み３２３の内側においてＵ字状に突出するように設けられている。もっとも、この円形の凹み３２３は、設けられていなくてもよい。また、ミチ糸連結部６が設けられる部分は特に限定されない。例えば、ミチ糸連結部６は、舌状部３２の前端部に設けることもできる。
ミチ糸連結部６は、例えば、８の字状針金を用いて形成される。具体的には、８の字状針金を、その一方の円環が舌状部３２の上面からＵ字状に突出するように舌状部３２の内部に埋め込むことによってミチ糸連結部６が形成される。
釣り竿とルアー１は、ミチ糸連結部６に取り付けられたミチ糸を介して連結されている。従って、釣り人は、ミチ糸を介してルアー１に細やかな動きを伝えることができる。
【００３１】
図２〜図４に示すように、本考案のルアーは、架橋部３１の最大幅（Ｗ１）が舌状部３２の最大幅（Ｗ２）よりも十分に小さいことが好ましい。架橋部３１の最大幅（Ｗ１）を舌状部３２の最大幅（Ｗ２）よりも十分に小さくすることにより、舌状部３２に当たった水流を架橋部３１によってルアー本体２の下方に受け流すことができる。
具体的には、架橋部の最大幅（Ｗ１）は、舌状部の最大幅（Ｗ２）の４／５以下でありることが好ましく、より好ましくは、３／５以下であり、特に好ましくは２／５以下である。架橋部の最大幅（Ｗ１）が舌状部の最大幅（Ｗ２）の４／５よりも大きい場合、舌状部に当たった水流が架橋部に誘導されない虞がある。
また、架橋部の最小幅（ｗ１）は特に限定されないが、好ましくは、舌状部の最大幅（Ｗ２）の１／１０以上である。架橋部の最小幅（ｗ１）が舌状部の最大幅（Ｗ２）の１／１０よりも小さい場合、架橋部の機械的強度が担保できず、舌状部に当たった水流の水圧によって架橋部が折れる虞がある。
【００３２】
また、図３に示すように、本考案のルアーは、架橋部３１の最大幅（Ｗ１）がルアー本体２の最大幅（Ｗ３）よりも十分に小さいことが好ましい。架橋部３１の最大幅（Ｗ１）をルアー本体２の最大幅（Ｗ３）よりも十分に小さくすることにより、舌状部３２から架橋部３１に誘導された水流がルアー本体２に衝突し難くなり、より効果的に水流をルアー本体２の下方に誘導することができる。
具体的には、架橋部の最大幅（Ｗ１）は、ルアー本体の最大幅の８／９以下であることが好ましく、より好ましくは７／９以下であり、特に好ましくは５／９以下である。架橋部の最大幅（Ｗ１）がルアー本体の最大幅（Ｗ３）の８／９よりも大きい場合、舌状部から架橋部に誘導された水流がルアー本体に衝突し易くなる虞がある。
また、架橋部の最小幅（ｗ１）は特に限定されないが、好ましくはルアー本体の最大幅（Ｗ３）の１／１３以上である。
【００３３】
補強部３３は、架橋部３１及び舌状部３２の機械的強度を補う部分である。補強部３３は、例えば図４に示すように、舌状部３２、架橋部３１、及びルアー本体２の各下面に跨がるように設けられている。もっとも、補強部３３は、少なくとも、架橋部３１及び舌状部３２の下面に跨がるように設けられていればよい。従って、ルアー本体２の下面に補強部３３が必ずしも設けられていなくてもよい。
補強部３３の形状は特に限定されず、図４に示すような下面視略長方形状であってもよく、下面視略楕円形状であってもよい（図示せず）。
また、図２に示すように、補強部３３は、架橋部３１の下方に対応する部分において、その上方から下方にかけて幅方向内側に傾斜した側面を有することが好ましい。
補強部３３が、架橋部３１の下方に対応する部分において幅方向内側に傾斜した側面を有することにより、架橋部３１の水流誘導機能を補うことができる。その結果、より多くの水流をルアー本体２の下方に誘導することができる。
【００３４】
水流抵抗板の形成材料は、特に限定されず、水流を受けても壊れない程度の機械的強度を有する材料が用いられる。このような材料としては、ルアー本体の形成材料と同じものが挙げられる。
水流抵抗板の形成材料とルアー本体の形成材料は異なっていてもよいが、好ましくは同じである。本考案のルアーは、独立した水流抵抗板とルアー本体を接着材等の接着手段によって接着することによって形成されていてもよく、一体成形により両部がシームレスに繋がるように形成されていてもよい。水流抵抗板の各部（架橋部、舌状部、及び補強部）についても同様である。
もっとも、ルアーの機械的強度が増すことから、本考案のルアーは、一体成形によって各部がシームレスに繋がるように形成されることが好ましい。
【００３５】
本考案のルアーは、上記第１の実施形態に限定されず、本考案の意図する範囲で適宜設計変更できる。
以下、本考案のルアーの他の実施形態を説明するが、上記実施形態と同様の構成及び効果についてはそれらの説明を省略し、用語及び符号をそのまま援用する。
【００３６】
［第２の実施形態］
図６（ａ）は、本考案の第２の実施形態におけるルアーの要部拡大側面図であり、図６（ｂ）は、図６（ａ）のルアーの水流抵抗板をＶＩｂ−ＶＩｂ線で切断した断面図である。
図６に示すように、架橋部３１の側面は、その上方から中途部にかけて幅方向外側に膨らんだ凸曲面（傾斜部３１ａ）と、その中途部から下方にかけて幅方向内側に弧状に膨らんだ凹曲面３１ｂと、を有する。そして、凸曲面（傾斜部３１ａ）内には、架橋部３１の後方から前方に延びる複数（４条）の凹部３１３が設けられている。
凹部３１３により、舌状部３２から架橋部３１に誘導された水流が整流されるため、より多くの水流がルアー本体２に衝突することなくルアー本体２の下方に誘導され易くなる。
凹部３１３は、架橋部３１の後方から前方に延びていればよく、図６（ａ）に示すように、架橋部３１の後方からその前方斜め上に延びるように設けられていてもよく、架橋部３１の後方からその前方にかけてルアー１の進行方向（矢印Ａ）と略平行に延びるように設けられていてもよい（図示せず）。
もっとも、架橋部３１の後方からその前方斜め上に延びるように凹部３１３が設けられれば、凹部３１３が設けられていない架橋部３１及び凹部３１３がルアー１の進行方向と略平行に延びた架橋部３１に比して、水流をより効率的に整流することができる。
凹部３１３の数は特に限定されないが、好ましくは１側面あたり１条以上（即ち、両側面で２条以上）の凹部３１３が設けられ、より好ましくは１側面あたり２条以上（即ち、両側面で４条以上）の凹部３１３が設けられる。複数の凹部３１３が設けられた架橋部３１は、単一の凹部３１３が設けられた架橋部３１３に比して、水流をより整流させ易い。
【００３７】
架橋部３１の側面内において、凹部３１３が設けられる部分は特に限定されない。好ましくは、図６（ａ）に示すように、架橋部３１の傾斜部３１ａ内において、ルアー本体２との境界部分から舌状部３２の上面３２ａにかけて凹部３１３が設けられる。凹部３１３が長ければ長いほど水流がより整流され易くなるためである。
また、凹部３１３の深さは特に限定されないが、通常、０．１ｍｍ〜２．０ｍｍであり、好ましくは０．１ｍｍ〜１．０ｍｍであり、より好ましくは０．３ｍｍ〜１．０ｍｍである。また、凹部３１３の幅も特に限定されないが、通常、０．１ｍｍ〜２．０ｍｍであり、好ましくは０．１ｍｍ〜１．０ｍｍであり、より好ましくは０．３ｍｍ〜１．０ｍｍである。また、凹部３１３の幅や深さは、その後方から前方にかけて変化していてもよいし、変化していなくてもよい。
【００３８】
なお、図６において、凹部３１３は、架橋部３１の側面の傾斜部３１ａ内に設けられているが、凹部３１３は、架橋部３１の中途部から下方にかけて幅方向内側に弧状に傾斜した曲面３１ｂ内に設けられていてもよい（図示せず）。また、凹部３１３は、補強部３３の側面内に設けられていてもよい（図示せず）。
【００３９】
［第３の実施形態］
図７（ａ）は、本考案の第３の実施形態におけるルアーの要部拡大側面図であり、図７（ｂ）は、図７（ａ）のルアーの水流抵抗板をＶＩＩｂ−ＶＩＩｂ線で切断した断面図である。
図７に示すように、架橋部３１の側面の傾斜部３１ａ内には、架橋部３１の後方から前方斜め上に延びる４条の凸部３１４が設けられている。この凸部３１４は、上記凹部３１３と同様に、架橋部３１に誘導された水流を整流することができる。
凸部３１４が設けられる部分は特に限定されず、上記凹部３１３と同様の部分に設けられる。また、凸部３１４の高さは特に限定されないが、通常、０．１ｍｍ〜２．０ｍｍであり、好ましくは０．１ｍｍ〜１．０ｍｍであり、より好ましくは０．３ｍｍ〜１．０ｍｍである。また、凸部３１４の幅も特に限定されないが、通常、０．１ｍｍ〜２．０ｍｍであり、好ましくは０．１ｍｍ〜１．０ｍｍであり、より好ましくは０．３ｍｍ〜１．０ｍｍである。凸部３１４の幅や深さは、その後方から前方にかけて変化していてもよいし、変化していなくてもよい。
なお、図７において、凸部３１４は、架橋部３１の側面の傾斜部３１ａ内にのみ設けられているが、凸部３１４は、架橋部３１の中途部から下方にかけて幅方向内側に弧状に傾斜した曲面３１ｂ内に設けられていてもよい（図示せず）。また、凸部３１４は、補強部３３の側面内に設けられていてもよい（図示せず）。また、凹部３１３と凸部３１４の両方が架橋部３１の傾斜部３１ａ内に設けられていてもよい（図示せず）。
【００４０】
［第４の実施形態］
図８は、本考案の第４の実施形態に係るルアーの水流抵抗板を示す断面図である。
図８（ａ）に示すように、架橋部３１の縦断面形状は、略三角形状でもよく、図８（ｂ）に示すように、略菱形状でもよく、図８（ｃ）に示すように、略円形状でもよく、図８（ｄ）に示すように不定形状でもよい。なお、図８（ａ）の水流抵抗板３は、架橋部３１の下面に連接した補強部３３を有するが、図８（ｂ）〜図８（ｄ）の水流抵抗板３は、補強部３３を有さない。
【００４１】
図８（ａ）では、架橋部３１の縦断面形状は、その上方から下方にかけて幅が常に大きくなっている。図８（ａ）において、架橋部３１の側面は、その上方から下方にかけて幅方向外側に傾斜した平面（傾斜部３１ａ）を有する。図８（ｂ）では、架橋部３１の縦断面形状は、その上方から中途部にかけて幅が大きくなり、その中途部から下方にかけて幅が小さくなっている。図８（ｂ）において、架橋部３１の側面は、その上方から中途部にかけて幅方向外側に傾斜した平面（傾斜部３１ａ）と、中途部から下方にかけて幅方向内側に傾斜した平面を有する。図８（ｃ）では、架橋部３１の縦断面形状は、その上方から中途部にかけて幅が大きくなり、その中途部から下方にかけて幅が小さくなっている。図８（ｃ）において、架橋部３１の側面は、その上方から中途部にかけて幅方向外側に膨らんだ凸曲面（傾斜部３１ａ）と、その中途部から下方にかけて幅方向内側に膨らんだ凹曲面を有する。図８（ｄ）では、架橋部３１の縦断面形状は、その上方から下方にかけて、幅が不規則に変化している。図８（ｄ）において、架橋部３１の側面は、凸曲面からなる傾斜部３１ａと平面からなる傾斜部３１ａの両方を有する。
もっとも、本考案では、架橋部３１の縦断面形状は、上記の例に限定されず、本考案の目的を逸脱しない範囲で任意の形状に変更することが可能である。
【００４２】
本考案のルアーは、水流抵抗板を有しており、この水流抵抗板は、ルアー本体から前方に延出した架橋部と、架橋部から延出した舌状部と、を有する。さらに、本考案のルアーは、架橋部が、その側面に傾斜部を有し、舌状部が、その上面に平坦部を有し、前記傾斜部は、架橋部の上方から下方にかけて幅方向外側に傾斜した部分である。
このような水流抵抗板を備えた本考案のルアーを用いることにより、水中において舌状部に当たった水流は、架橋部によって受け流され、ルアー本体の下方に誘導される。従って、水流がルアー本体に衝突し難くなる。その結果、釣り人がルアーに細やかな動きを伝え易くなり、ルアーを本物の餌のように細かく且つ不規則に動かすことができる。また、水流がルアー本体に衝突し難くなるため、所望の水深までルアーを短時間で潜水させ易くなる。
【符号の説明】
【００４３】
１…ルアー、２…ルアー本体、３…水流抵抗板、３１…架橋部、３２…舌状部、３３…補強部、４…釣り針連結部、５…釣り針、６…ミチ糸連結部、Ａ…ルアーの進行方向、Ｂ…上下方向、Ｃ…幅方向、Ｗ１…架橋部の最大幅、Ｗ２…舌状部の最大幅、Ｗ３…ルアー本体の最大幅
【図１】
0003185165.tif 000003
【図２】
0003185165.tif 000004
【図３】
0003185165.tif 000005
【図４】
0003185165.tif 000006
【図５】
0003185165.tif 000007
【図６】
0003185165.tif 000008
【図７】
0003185165.tif 000009
【図８】
0003185165.tif 000010